(57)【要約】  本発明は、第一の光源と、少なくとも一つの第二の光源と、前記第一の光源から発光された光を集束するの適応し、かつ少なくとも一つの第二の光源から照射された光に該集束素子を通過させるのに適応した集束素子を有する照明組立品に関する。本発明はまた、長手方向及び横方向の可動ユニットと受け入れユニットを有するウィンデージ及び上昇制御機構にも関する。前記可動ユニットは、調節されるべき装置を受け入れるのに適応し、その長手方向の対向する側面上にそれぞれ位置する二つの整列された突起を有する。前記受け入れユニットは、前記可動ユニットを受け入れるのに適応した空洞を規定する。前記空洞は、前記可動ユニットの前記突起を受け入れるのに適応した補完的チャネルを有する接面により規定されている。
2010537373.tif 000002
【特許請求の範囲】
【請求項１】
光を外側に照射することが可能な第一の光源と、
少なくとも一つの第二の光源と、
第一の光源から照射された光を集束するのに適応し、かつ少なくとも一つの第二の光源から照射された光に該集束素子を通過させるのに適応した集束素子
を備えた、照明組立品。
【請求項２】
第一の光源が発光ダイオード（ＬＥＤ）である、請求項１に記載の照明組立品。
【請求項３】
前記発光ダイオードにヒートシンク素子が設けられている、請求項２に記載の照明組立品。
【請求項４】
前記ヒートシンク素子が、複数の前記第二の光源のうちの少なくとも一つのための取付板として働く、請求項３に記載の照明組立品。
【請求項５】
前記ヒートシンク素子と前記第二の光源の間に挿入される熱的絶縁スリーブをさらに備えた、請求項４に記載の照明組立品。
【請求項６】
単一の前記ヒートシンク素子が、前記第一の光源及び少なくとも一つの前記第二の光源から熱を分散させるために適応されている、請求項３に記載の照明組立品。
【請求項７】
前記ヒートシンク素子がタブを備えており、集束素子の適切な位置決めを確実にするために、集束素子が前記タブに結合するのに適応した登録ノッチを備えている、請求項３に記載の照明組立品。
【請求項８】
前記第二の光源がタブとして働き、前記集束素子がコリメータであるときはいつでもチャネルが登録ノッチとして働き、あるいは前記集束素子が反射器を備えているときはいつでも開口部が登録ノッチとして働き、前記チャネル又は前記開口部が場合に応じて前記集束素子上に設けられる、請求項３に記載の照明組立品。
【請求項９】
前記ヒートシンク素子が、前記第一の光源と前記第二の光源を駆動するために必要な回路構成を含むプリント回路基板を受け取るのに適応した凹部を備えている、請求項３に記載の照明組立品。
【請求項１０】
前記第一の光源が薄型の発光ダイオードであり、前記ヒートシンク素子が、前記集束素子を前記薄型の発光ダイオードに近接して位置決めするのに適応した少なくとも一つの斜面を規定する、請求項３に記載の照明組立品。
【請求項１１】
前記集束素子がコリメータである、請求項１に記載の照明組立品。
【請求項１２】
前記集束素子が反射器である、請求項１に記載の照明組立品。
【請求項１３】
前記集束素子が反射器とレンズを備えている、請求項１に記載の照明組立品。
【請求項１４】
ウィンデージ及び上昇制御機構が設けられている、請求項１に記載の照明組立品。
【請求項１５】
前記第二の光源のうちの一つがレーザーダイオードである、請求項１に記載の照明組立品。
【請求項１６】
開口部を有する筐体と、
前記筐体内に位置し、前記開口部を通じて可視である電池レベル表示器
をさらに備えた請求項１５に記載の照明組立品。
【請求項１７】
電池レベル表示器が低出力の発光ダイオードを備えている、請求項１６に記載の照明組立品。
【請求項１８】
前記低出力の発光ダイオードがそれぞれ赤色、黄色及び緑色である、請求項１７に記載の照明組立品。
【請求項１９】
前記コリメータが、前記コリメータの付加物が前記第二の光源用のより小さいコリメータを形成するような方法により成形された後面を有する、請求項１１に記載の照明組立品。
【請求項２０】
長手方向の対向する側面上にそれぞれ位置する二つの整列された突起を有し、調節されるべき装置を受け入れるのに適応した長手方向及び横方向の可動ユニットと、
前記可動ユニットを受け入れるのに適応した空洞を規定する受け入れユニットであって、前記空洞は前記可動ユニットの前記突起を受け入れるのに適応した補完的チャネルを有する接面によって規定されている、受け入れユニットを備え、
前記装置のウィンデージ及び上昇は、可動ユニットを受け入れユニットに対して調節することにより制御される、ウィンデージ及び上昇制御機構。
【請求項２１】
前記補完的チャネルが、
前記突起のうちの一つを受け入れるのに適応し、１８０度より大きい円弧を規定する少なくとも三つの接触点において、前記突起のうちの前記一つの球状の部分に接触するのに適応している第一のソケットと、
前記突起のうちの別の一つを受け入れるのに適応し、前記可動ユニットの横方向及び長手方向の移動について、前記可動ユニットを安全に維持するのに適応した湾曲したチャネルを規定する第二のソケット
を備えている、請求項２０に記載のウィンデージ及び上昇制御機構。
【請求項２２】
固定されたユニットが、前記可動ユニットを前記固定されたユニット内に、それらの間の（therebetween）長手方向及び横方向の移動を可能にしながら保持するための保持機構をさらに備えている、請求項２０に記載のウィンデージ及び上昇制御機構。
【請求項２３】
前記固定されたユニットに対して前記可動ユニットの長手方向及び横方向の移動を調節及び制御するように、前記受け入れユニットと前記可動ユニットに付加されている調節機構をさらに備えている、請求項２０に記載のウィンデージ及び上昇制御機構。
【請求項２４】
前記装置がレーザーである、請求項２０に記載のウィンデージ及び上昇制御機構。
【請求項２５】
照明組立品に一体化されている、請求項２０に記載のウィンデージ及び上昇制御機構。
【請求項２６】
前記ウィンデージ及び上昇制御機構を受け入れるための空洞が、照明組立品のヒートシンク素子上に設けられている、請求項２０に記載のウィンデージ及び上昇制御機構。
【発明の詳細な説明】
【技術分野】
【０００１】
（発明の分野）
本発明は照明組立品の分野に関する。本明細書において開示される照明組立品は、平行な軸に装着された多方向の光源を特徴とする。さらに、本発明は照明組立品の光路を便利に修正するための機構を提供する。
【背景技術】
【０００２】
（発明の背景）
典型的に、照明組立品は単一の光源を特徴とする。そのような方向を有する、又は集束される光源を特徴とする典型的な照明組立品においては、単一の光源は中心に位置し、照明組立品は円筒形又は他の規則的な外形を有する。方向を有する光の組立品の光の出力は部分的にはその集束素子の寸法に依存するため、コリメータ又は反射器のいずれにせよ、集束素子は典型的には照明組立品の筐体の内径と同じ大きさになる。
【０００３】
柔軟性の必要及び空間制約のため、一つの筐体の中で複数の異なる光源を特徴としている照明組立品が望ましい。
【０００４】
レーザーのような照明組立品は、操作者が対象に狙いを定めるのに役立つように、火器に関係しても使用される。典型的には、レーザーが多少なり火器の銃身に平行である様式にて、レーザーは火器に装着されている筐体内に含まれる。特定のレーザー照準装置は、戦術的フラッシュライト、すなわち火器に関係して使用されるフラッシュライトについて特徴付けられる。火器の銃身の平行性の欠如を含む様々な理由のため、レーザー光線の狙いを修正すること、及び／又は、弾丸の飛行軌道上における重力及び横風の影響を補償することはしばしば必要である。
【発明の開示】
【発明が解決しようとする課題】
【０００５】
従って、単一の筐体内に異なる光源を含み得る照明組立品についての必要が存在し、前記証明組立品について光路は便利に修正され得る。
【課題を解決するための手段】
【０００６】
（発明の要旨）
本発明は、一般に複数の光源を含む照明組立品と、その光路を調節するための機構に関する。
【０００７】
本発明の実施形態の一つの局面によれば、照明組立品が提供される。前記照明組立品は、第一の光源と、少なくとも一つの第二の光源と、集束素子を備えている。前記第一の光源は、光を外側の方向に投射することができる。前記集束素子は、第一の光源から発散している光を集束するのに適応し、前記集束素子を通って少なくとも一つの第二の光源から発散している光を通過させるのに適応している。
【０００８】
別の実施形態によれば、本発明は、長手方向及び横方向の可動ユニットと受け入れユニットを備えたウィンデージ及び上昇制御機構に関する。長手方向及び横方向の可動ユニットは、調節されるべき装置を受け入れるのに適応しており、長手方向の対向する側面上にそれぞれ位置する二つの整列された突起を有する。受け入れユニットは、可動ユニットを受け入れるのに適応した空洞を規定する。補完的チャネルを有する接面を有する空洞は、可動ユニットの突起を受け入れるのに適応している。装置のウィンデージ及び上昇は、受け入れユニットに対して可動ユニットを調節することによって制御される。
【０００９】
本発明の理解を容易にするために、類似の参照符号が類似の部分を示す参照符号と共に添付の図面が提供される。
【発明を実施するための最良の形態】
【００１０】
図１，２，３，８及び９に示されるように、本発明の照明組立品１は単一の筐体３内に複数の光源１１／１２／１３を統合する新しい方法を特徴とし、その一方で、集束素子５／６の寸法と第一の光源１１の光の出力を最大化する。本明細書に開示される照明組立品１、周辺装置のレーザー１３又は周辺装置の発光ダイオード１２のような第二の光源１２／１３は、反射器６又は第一の光源１１のコリメータ５のいずれかである集束素子５／６の後方に置かれ、第一の光源１１により生成される光線の軸に平行な軸に沿って、そのような集束素子５／６内のチャネル又は開口部１６／１７が第二の光源１２／１３のうちのいくつかから光を送るために使用される。
【００１１】
本発明の実施形態において、照明組立品１は図１上に示されるような携帯用の照明組立品であり、フラッシュライトとしても知られている。また、図２，３，４，８及び９にも、レーザーダイオードと発光ダイオード（ＬＥＤ）のような固体光源を特徴とする照明組立品の種々の実施形態が示されている。本発明の照明組立品は、白熱のタングステン、キセノン及びハロゲン光源又はこれらの任意の組み合わせのような他のタイプの光源と共に、ヘリコプターサーチライト、ヘッドライト、信号用ライト及びスポットライトのような非携帯用の照明組立品のような、しかしこれらに限られない他の実施形態に役立つ。光源１１／１２／１３は、単色又は多色のいずれかであり得る。
【００１２】
第一及び第二の光源１１／１２／１３は、外部電源（不図示）又は電池２１のような統合された電源若しくは複数の電池２１のいずれかにより電力を与えられ得る。スイッチ２又は複数のスイッチ２を通じて、電源は導電性配線３０によって光源１１／１２／１３に電気的に接続されている。単一のスイッチ２が使用されるとき、単一のスイッチ２は好適には多重モードスイッチである。電子回路基板２０は、スイッチ２が多重モードスイッチであり、かつ／又は複数の光源１１／１２／１３の少なくとも１つがＬＥＤのような固体光源である環境に含まれる。
【００１３】
照明組立品１の二つの好適な実施形態は、第一の光源１１の光と、第二の光源１２の光を集束するために異なる素子をそれぞれ使用する図２，３，４，８及び９に示されている。図２に示されるように、第一のそのような好適な実施形態は、集束素子として反射器６を特徴とする。図３に示されるように、第二のそのような好適な実施形態は、集束素子としてコリメータ５を特徴とする。図４で示されるように、これらの好適な実施形態についての変形例は、反射器６へのレンズの追加と統合された小型コリメータ２９のコリメータ５への追加を含む。
【００１４】
図４に示されるように、照明組立品は、一つ又は複数の光源１１／１２／１３により生成された熱を放散させるために使用され得る単一のヒートシンク８をさらに備えている。ヒートシンク８は、好適にはプリント回路基板２０を収容するための凹部３５を特徴とし、プリント回路基板２０は複数の光源１１／１２／１３を駆動する。そのような凹部３５は、ヒートシンク８とプリント回路基板２０を備えた組立品により占められる全体の空間の量を最小化する。凹部３５は、ヒートシンク素子８がより良く熱を伝導させて分散させ得るように、そのような凹部３５の領域の外側においてヒートシンク８がより厚くなることを可能にする。ヒートシンク８は、以下の二重の目的を果たす。光源１１／１２／１３により生成された熱を放散させるその伝統的役割に加えて、ヒートシンク８は複数の光源１１／１２／１３のうちのいくつかのための取付板としても使用される。ヒートシンク素子がＬＥＤである第一の光源のような他の光源から第二の光源１３に熱を伝導し得るという事実を考慮して、オプションである断熱スリーブ１４がヒートシンク８に挿入され、ここでは潜在的に熱に弱い第二の光源１３を熱の損害から保護するために、第二の光源１３のそれぞれがヒートシンク素子８に装着される。スリーブ１４は、非熱伝導材料から作られる。図２，３，４と６に示されるように、第一の光源１１がＬＵＭＩＬＥＤＳ’  Ｒｅｂｅｌ（商標）超小型表面実装高出力ＬＥＤのような、しかしこれには限られない小型又は薄型のＬＥＤである場合、ヒートシンク８の前方に面する部分における回路基板凹部３５の端部は、斜角又は一連の斜角３６を特徴とし得る。そのような斜角３６は、ＬＥＤである第一の光源１１に近いコリメータ５又は反射器６の位置決めを可能にし、一方コリメータ５又は反射器６はそのようなＬＥＤである第一の光源１１からの光の出力を最適化する。そのような斜角３６の追加の利点は、第一の光源１１に対するコリメータ５又は反射器６の適切な位置決めとセンタリングを確実にする。
【００１５】
本明細書に開示される照明組立品１の別の特徴は、ＬＥＤである第一の光源１１における、コリメータ５又は反射器６の開口部１７への円筒形のチャネル１６の存在であり、好適な実施例によれば、屈折による偏向なく、第二の光源１２／１３のうちのいくつか又は全てから照明組立品１の前方部分を通じて発光されることを可能にする。
【００１６】
図４に示されるように、コリメータ５を特徴とする照明組立品１の型において、第二の光源１２／１３はそれ自体のコリメータ２９を有し、あるいは第一の光源１１のコリメータ５を共有する。主コリメータ５の外側の表面は突起を形成するために成形され得て、前記突起は、主コリメータ５の軸に平行な軸を有する、第二の光源１２のための第二のコリメータ２９として動作する。
【００１７】
コリメータ５又は反射器６上の登録ノッチ１８と、ヒートシンク８上の対応するタブ１９は、複数の第二の光源１２／１３により、反射器６内の開口部１７又はコリメータ５内のチャネル１６の適切な配列を確実にする。
【００１８】
代替的には、登録タブ１９はコリメータ５又は反射器６上に位置し得て、登録ノッチ１８はヒートシンク８上に位置し得る。ヒートシンク８は好適にはリム９を特徴とし、リム９は照明組立品１の筐体３によりヒートシンク８の接触面を最大化するために、ヒートシンク８の中心部分の厚みより広い。
【００１９】
代替的には、第二の光源１２／１３のうちの一つ又はいくつかは、登録タブ１８としても働き得て、コリメータ５上に設けられたチャネル１６又は反射器６上に設けられた開口部１７と係合し、複数の第二の光源１２／１３に対するコリメータ５又は反射器６の適切な位置決めを確実にする。
【００２０】
図６に示される照明組立品１の別の実施形態においては、一つ又は複数の低出力ＬＥＤ２６を備えた電池レベル表示器２５が存在する。低出力ＬＥＤ２６は、好適には回路基板２０上に設置され、スイッチ２を通じて起動される。低出力ＬＥＤ２６は、電池２１のレベルの監視を可能にし、図２及び３上に示される照明組立品１のレンズ４を通じて可視である。複数の低出力ＬＥＤ２６は、それぞれ低、中及び高の電池の残作動時間を示す赤、黄、緑の色である三つの低出力ＬＥＤ２６の配列から構成され得る。
【００２１】
照明組立品１は、装置、物体又は構造上に設けられた、図５上に示されるもののような装着レール３２に噛み合うものを含むが、これに限られないクランプ又は他の噛み合い機構３３の追加を通じて、そのような装置、物体又は構造上の装着にさらに適応し得る。図７に示されるように、そのように照明組立品１が装着され得る装置の例が火器３４である。
【００２２】
本明細書に開示される照明組立品１は、以下の一つ又は数個を含む数個の利点を提供する。
照明組立品１の筐体３は、膨らみ又は突起なしに円筒形又は他の規則的な形状のものになり得る。すなわち、筐体３は審美的により好ましくなるだけでなく、照明組立品１の取り扱い、保持、クランプ及び固定をも容易にする。
第一の光源１１のための集束素子は、照明組立品１の筐体３の内径により収容され得る最大の寸法のものである。
筐体３の好適な円筒形の形状は、物体、装置又は構造への取り付けを容易にする。
そして、筐体３がクランプまたは他の手段を通じて、物体、装置又は構造に取り付けられたとき、筐体３の好適な円筒形の形状は、物体、装置又は構造に近い、又は物体、装置又は構造から遠い第二の光源１２／１３のいずれかを位置決めするために、筐体３の主軸に沿った筐体３の回転を可能にする。
【００２３】
この後者の利点の実例は、照明組立品１が戦術的照明の使用のために火器３４に装着されたときに、照準装置として使用される、周囲に装着されたレーザー１３のような第二の光源が、火器３４の照準における最大の正確性のために、第二の光源が火器３４の銃身に最も近くなる方法により位置決めされ得ることである。
【００２４】
今度は図８〜１１を参照すると、本発明の他の局面によるウィンデージ及び上昇制御機構が示されている。これらの図はレーザーに関係してウィンデージ及び上昇制御機構を表しているが、そのような表現は単に潜在的な適用の図示であり、使用の分野をレーザーのみに限定することとしては解釈されない。レーザーの他にも、装置により正確に特定の方向を狙う必要がある場合にはいつでも、本発明のウィンデージ及び上昇制御機構は使用され得る。潜在的適用は、限定なしに、大砲の部品、指向性マイクロホン、ウォータージェット、照明装置、通信アンテナ及び変換器等を含む。
【００２５】
ウィンデージ及び上昇制御機構と、前記機構の三次元の局面を説明する目的で、ｘ，ｙ，ｚについて言及される。ここで、「ｘ」は筐体の長手方向の軸（すなわち、光線の方向）に平行な軸であり、「ｙ」はｘが水平のときにｘに対して垂直な軸であり、「ｚ」はｘが水平であってかつｙが垂直であるときにｘ及びｙの両方に対して直交する水平な軸である。
【００２６】
一般的な方法において、本発明のウィンデージ及び上昇制御機構は、長手方向及び横方向の可動ユニット３７、受け入れユニット８及び調整装置５３／５４を含む。長手方向及び横方向の可動ユニット３７は、受け入れユニット８に対して調節されるべき装置（不図示）を受け入れるように適応している。そのようにするために、可動ユニット３７はその長手方向の対向する側面上にそれぞれ位置する二つの整列された突起４１／４２を有する。受け入れユニット８は、可動ユニット３７を受け入れるのに適応した空洞を規定する。空洞は、可動ユニット３７の突起４０／４１を受け入れるのに適応した補完的チャネル４２／４４を有する表面に面することにより規定される。この可動ユニット３７の突起４０／４１と受け入れユニット８の補完的チャネル４２／４４の組合せは、受け入れユニット８に対する可動ユニット３７の移動を可能にする。このことは、受け入れユニット８に対して可動ユニット３７を調節することにより、装置のウィンデージ及び上昇の調節を可能にする。調節保持装置５０／５３は、受け入れユニット８に対する可動ユニット３７の移動を促進しかつ固定するために提供される。
【００２７】
図１０に移って、可動ユニット３７は例えばレーザー、又はレーザーダイオード４７及びレンズ４（明確化の目的のために不図示）のような装置を受け入れるのに適応している。可動ユニット３７は、可動ユニットの前端を通じて、レーザーダイオード４７により生成されたレーザービームが外側に向けられるような方法により位置決めされる。レーザーダイオード４７が可動ユニット３７の前端の後部に位置決めされるべきである場合には、可動ユニット３７のｘ軸に平行な孔３８又はシリンダーが、レーザービームの通過を可能にするために設けられる。可動ユニット３７は任意の形状であり得て、その部分が二つの突起４０／４１から離れて伸び、かつそのような伸長の特徴が適切に成形されるならば、好適には後述する調節ネジのような調節保持機構５０／５３及び受け入れユニット８との接触点における平坦な接触領域であり得る。実施形態によれば、可動ユニット３７は正方形の断面を有し、前記断面は本質的にそのような平坦な領域を特徴付ける。レーザーダイオード４７は接続リード４５を特徴付け、接続リード４５は接続線４６を通じてプリント回路基板２０に柔軟に接続され、スイッチ２を通じて電源２１に接続されている。前記の全ての要素は、可動ユニット３７に対して内部又は外部に存在しうる。レーザーダイオード４７の位置は変化し得るが、好適な実施形態においては、レーザーダイオード４７は可動ユニットの後端の近くに位置し、一方可動ユニット３７の前端はレーザービームの通過を可能にするために開放されている。レーザービームを集束するためのレンズ（不図示）が、孔３８内に設けられ得る。
【００２８】
可動ユニット３７は、可動ユニット３７を受け入れるのに適応した受け入れユニット８の空洞３９に挿入される。前記空洞は、可動ユニット３７を受け入れるのに十分に大きいことだけを要し、所望のウィンデージ及び上昇の調節を達成するのに必要とされる範囲において、長手方向の移動とも呼ばれる上下（すなわちｚ軸の周囲）の移動と、横方向の移動とも呼ばれる側面から側面（すなわちｙ軸の周囲）の移動を可能にする。
【００２９】
図１０乃至１４に示された好適な実施形態において、空洞は携帯照明組立品１のヒートシンク８の素子上に設けられ、照明組立品１の長手方向の軸（すなわちｘ軸）に平行な一般的方向を有する。
【００３０】
可動ユニット３７は二つの突起４０／４１を特徴とし、二つの突起４０／４１は可動ユニット３７の対向する側面上に位置する。一つのそのような突起４０（以下第一の突起という）の先端は、部分的に球形である。理論的には、第一の突起は、微小な寸法の先端を有する円錐として成形され得る。しかし、そのような先端の任意の磨耗及び裂傷は、当該機構内におけるゴミの生成を結果として生ずる。そのため、実際にはそのような円錐は微小又は準微小な半径の球形の先端を有し得る。突起４１（以下「第二の突起」という）の先端は、ｚ軸に対して円形の断面を有する。本発明の実施形態によれば、図１３に示されるように、二つの突起４０／４１の頂点を横切る想像線は、可動ユニット３７のｚ軸に平行である。各突起４０／４１は、空洞３９の対向する側面上に設けられた対応するソケット４２／４４に適合する。一つのそのようなソケット４２（「第一のソケット」）は、第一の突起を受け入れるのに適応した形状を有し、第一のソケット内の第一の突起のｚ及びｙ軸の周囲（しかしｘ軸の周囲ではない）の移動を可能にする。第一のソケット内への第一の突起の保持を確実にしながら所望の移動の範囲を達成するために、最小の三つの接触点は第一のソケット（及び／又はダボ、ダボが設けられるときはいつでも）と、第一の突起の球状の先端の間に存在しなければならない。例として、第一の突起の表面に沿って三つの接触点を結合する最も短い可能な円弧は、第一の突起が第一のソケット内に保持されることを確実にするために、少なくとも１８０度のものでなければならない。
【００３１】
受け入れユニット８の空洞３９への可動ユニット３７の挿入を促進するために、第一のソケット４２は一つの側面において開放され得る。その後、ダボピン５９が個々のソケット４２に近接して位置するダボ孔６０に挿入され、これによりソケット４２内における移動を可能にしながら第一の突起４０がソケット４２から出ることを防ぐ。
【００３２】
第二のそのようなソケット（「第二のソケット」）４４は、ｘ‐ｚ平面に方向付けられた屈曲したチャネルである。第二のソケット４４は、可動ユニット３７がｚ軸の周りを回転することと、可動ユニット３７がｚ軸の周りを回転するときはいつでも、第二のソケット４４の全長に沿って移動することを可能にするように成形されている。屈曲したチャネルの曲率半径は、第二の突起の球状の先端と第二のソケット（場合によっては、及び／又はダボ）の間の動きの範囲を通じて、最小の二つの接触点が維持されるようなものである。
【００３３】
ソケット４２と同様に、第二のソケット４４は、受け入れユニット８の空洞３９への可動ユニット３７のより容易な挿入及び適切な位置決めを可能にするために、一つの側面に対して開放され得る。第一のソケット４２と同様に、ダボピン５９は第二のソケットに近接して位置するダボ孔６０に挿入され、これにより第二のソケット４４を形成する屈曲したチャネル４３の全長に沿った移動を可能にしながら、第二の突起４１がソケット４４から出ることを防ぐ。
【００３４】
ウィンデージ及び上昇の調節を有効にするために、可動ユニット３７を移動させるために力を伝達するための手段と、弾性変形を介してそのような力と相互作用するための手段と、所望の設定を維持するために可動ユニット３７を静止させるための手段を設ける必要がある。多数の解決法が可能である。力を伝達するための可能な手段は、ネジ、ロッド、空気注入式ブラダー又は油圧の使用を含む。弾性変形を通じてそのような力と相互作用することは、バネ、エラストマー、形状記憶発泡体、又はさらに空気が満たされたブラダーのような弾性変形を経験し得る任意の材料又は装置を通じて達成され得る。本明細書において説明される好適な実施形態においては、調節ネジ及びコイルバネが使用される。
【００３５】
上述し、また図８及び９に示されているように、本明細書において説明される好適な実施形態においては、照明組立品１の筐体３は管状の形状のような通常の形状を有している。孔３８の内径は、ヒートシンク８の外径に対応する。ヒートシンク８は筐体３の内部に挿入されて、その中において適切な位置に保持される。図１０に示されるように、筐体３の側壁は、互いに直交した二つのネジ穴５１／５２を特徴とする。本明細書において説明される好適な実施形態においては、一つのそのような穴はｙ軸に平行であり、他の一つはそのｚ軸に平行である。両方の穴５１／５２は、突起４０／４１及びソケット４３／４４から離れて位置する一つの点において可動ユニット３７のｘ軸に交差する。そのようなそれぞれの穴は対応する調節ネジ５３を受け入れるためにネジ切りされており、好適には調節ネジ５３は、調節ネジ５３の回転を可能にするツール６２を受け入れるためのソケット６１とヘッド６３を特徴とする。ヘッド、ソケット及びツールは熟考されているが、クランクハンドルのような他の解決法も可能である。各調節ネジ５３／５４がそれぞれの穴５１／５２に挿入されたとき、各調節ネジ５３／５４は可動ユニット３７の外壁に対して静止する。それぞれの調節ネジ５３／５４が可動ユニット３７に向かって又は離れて回転する結合された効果と、バネの相互作用力は、空洞３９内における可動ユニット３７の移動を結果として生じさせる。（可動ユニット３７が中立の位置にあるとき）ｙ軸に位置する調節ネジ５３は、二つの突起４０／４１のそれぞれの頂点を通過する軸（すなわちｚ軸）の周りに可動ユニット３７を回転させることによりレーザービームの上昇を制御する。（可動ユニット３７が中立の位置にあるとき）ｚ軸に位置するネジ５４は、第一の突起４０の球状の先端の理論上の中心である点の周りに可動ユニット３７を回転させることによりレーザービームのウィンデージを制御する。各ネジ穴の反対の側面上には、そのようなネジ穴に必ずしも直接的に対向するわけではないが、好適には平底のものであるバネシート５７／５８が存在し、バネシート５７／５８には好適にはコイルバネであるバネが挿入される。そのようなバネの目的は、可動ユニット３７に対するそれぞれの調節ネジ５３／５４の動作に相互作用することである。図１１に示されるように、各調節ネジヘッド６３は、ネジヘッド６３の周りの周辺スロットをも特徴とし、水又は他の汚染物質がネジ切りされたネジ穴５１／５２を通じて照明組立品１の内部に侵入することを防ぐために、ゴム又は他の柔軟な材料のＯ字リング５０が挿入される。図１１及び１２に示されるように、調節ネジ５３／５４が誤って落下することを防ぎ、かつ／又は調節ネジ５３／５４の移動を制限するために、保持リング５５が筐体３の内部のそれぞれの調節ネジ５３／５４の周辺スロットに挿入され得る。調節ネジ５３／５４の先端は、調節ネジ５３／５４が可動ユニット３７に対して回転されたときの摩擦並びに磨耗及び破損を最小化するために、好適には丸みを帯びている。各バネシート３９のそれぞれに挿入されるべき各コイルバネは、バネの動作が調節ネジ５６の動作に直接的に相互作用するように、好適には調節ネジ５３／５４の軸に平行である軸に沿って方向付けられている。調節ネジ５３／５４が可動ユニット３７に対して回転させられるとき、調節ネジ５３／５４は可動ユニット３７を押し、後者は上述のように回転する。調節ネジ５３／５４が反対の方向に回転するとき、調節ネジ５３／５４の反対に位置するコイルバネは可動ユニットを調節ネジ５３／５４に向かって押し、これにより可動ユニット３７を同様にではあるが反対の方向に回転させる。
【００３６】
本発明の多くの他の所望される有用な特徴は、前述の開示から明白となるであろう。さらに、この開示は図示の目的のために相当な詳細において本発明の重要な局面を説明するが、本発明の精神及び範囲から離れることなくこれらの詳細の多くが変形され得ることは、当業者により理解されるであろう。
【図面の簡単な説明】
【００３７】
【図１】本発明の一つの局面による照明組立品の側面の軸測投影図である。
【図２】図１の照明組立品の側面の軸測投影展開図である。
【図３】図１の照明組立品の別の側面の軸測投影展開図である。
【図４】図１の照明組立品の一部の側面の軸測投影展開図である。
【図５】装着機構上に装着された本発明による照明組立品の正面の軸測投影図である。
【図６】図２の照明組立品の一部の平面図である。
【図７】火器上に装着された本発明の照明組立品の正面の軸測投影図である。
【図８】本発明の一つの局面による照明組立品の側面の断面図である。
【図９】本発明の別の局面による照明組立品の側面の断面図である。
【図１０】本発明の別の局面による照明組立品の部分断面図である。
【図１１】本発明のさらに別の実施形態によるウィンデージ及び上昇制御機構の長手方向の部分断面平面図を示す。
【図１２】本発明による照明組立品のウィンデージ及び上昇制御機構の軸測投影図である。
【図１３】照明組立品のヒートシンク装置に関連したウィンデージ及び上昇制御機構の構成部品を示す、軸測投影平面図と部分横断断面図である。
【図１４】ヒートシンク装置に関連した照明組立品のウィンデージ及び上昇調節機構の軸測投影展開図である。
【図１】
2010537373.tif 000003
【図２】
2010537373.tif 000004
【図３】
2010537373.tif 000005
【図４】
2010537373.tif 000006
【図５】
2010537373.tif 000007
【図６】
2010537373.tif 000008
【図７】
2010537373.tif 000009
【図８】
2010537373.tif 000010
【図９】
2010537373.tif 000011
【図１０】
2010537373.tif 000012
【図１１】
2010537373.tif 000013
【図１２】
2010537373.tif 000014
【図１３】
2010537373.tif 000015
【図１４】
2010537373.tif 000016
【国際調査報告】
2010537373.tif 000017
2010537373.tif 000018
2010537373.tif 000019
2010537373.tif 000020